(57)【要約】【課題】GPS受信機などの特別な回路を用いることなく簡単な回路構成で、周辺セル環境の急激な変動によっても、最適なセルを選択することが可能な移動機のソフトハンドオーバー制御方法を得る。【解決手段】ステップＳ５１で、移動機は、対象セルのセル品質（前セル品質）を読み出す。ステップＳ５２で、移動機は、現在の対象セルのセル品質（現セル品質）を測定する。その後、ステップＳ５３において、ソフトハンドオーバー対象のセルについて、ステップＳ５１及びＳ５２で得た前セル品質及び現セル品質とを比較し、いずれの品質が優れている方を判断し、その判断結果に基づき、ソフトハンドオーバー制御の実施が適切と判断した場合はステップＳ５４でソフトハンドオーバー制御を行い、ソフトハンドオーバー制御の実施が適切でないと判断した場合はステップＳ５５でソフトハンドオーバー制御を行うことなく処理を終了する。【選択図】図４
2007306115.tif 000002
【特許請求の範囲】
【請求項１】
複数の基地局それぞれから電波の届く範囲で規定される複数のセルからなる通信環境において実行される、移動機のソフトハンドオーバー制御方法であって、
前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能を有し、
(a) 前記移動機によって実行され、前記品質管理機能によって前記所定のソフトハンドオーバー制御条件を満足したと判断したとき、ソフトハンドオーバー制御対象となる対象セル内における前記移動機の通信状態を示すセル品質を第１の測定値として測定した後、前記対象セルを指定する情報を含むセル情報を前記基地局制御機構に通信するステップと、
(b) 前記ステップ(a) 後に前記基地局制御機構によって実行され、前記移動機に対しソフトハンドオーバー制御実行の許可を与えるステップと、
(c) 前記ソフトハンドオーバー制御実行の許可に応答して前記移動機によって実行され、前記対象セルの前記セル品質を第２の測定値として測定するステップと、
(d) 前記移動機によって実行され、前記第１及び第２の測定値の比較結果に基づき、前記ソフトハンドオーバー制御の実行の有無を判定するステップと、
(e) 前記移動機によって実行され、前記ステップ(d) で前記ソフトハンドオーバー制御を実行すると判定した場合のみ、前記ソフトハンドオーバー制御を実行するステップと、
を備える移動機のソフトハンドオーバー制御方法。
【請求項２】
請求項１記載の移動機のソフトハンドオーバー制御方法であって、
前記ソフトハンドオーバー制御条件は、移動機が現在通信している通信セルを、該通信セル周辺の所定の周辺セルに切り替えるための条件を含み、前記対象セルは前記所定の周辺セルを含み、
前記ソフトハンドオーバー制御は移動機が通信する基地局を前記通信セル内の基地局から前記対象セル内の基地局に切り替える制御を含み、
前記ステップ(d) は、前記第２の測定値が前記第１の測定値より質の向上／劣化に基づき、前記ソフトハンドオーバー制御の実行／不実行を判定するステップを含む、
移動機のソフトハンドオーバー制御方法。
【請求項３】
請求項１記載の移動機のソフトハンドオーバー制御方法であって、
前記ソフトハンドオーバー制御条件は、移動機が現在通信している複数の通信セルのうち、一の通信セルとの通信を削除するための条件を含み、前記対象セルは前記一の通信セルを含み、
前記ソフトハンドオーバー制御は移動機が通信する前記対象セルの基地局を削除する制御を含み、
前記ステップ(d) は、前記第２の測定値が前記第１の測定値より質の劣化/向上を示す場合、前記ソフトハンドオーバー制御の実行／不実行を判定するステップを含む、
移動機のソフトハンドオーバー制御方法。
【請求項４】
複数の基地局それぞれから電波の届く範囲で規定される複数のセルからなる通信環境において実行される、移動機のソフトハンドオーバー制御方法であって、
前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能を有し、
(a) 前記移動機によって実行され、前記セル品質管理機能によって所定のソフトハンドオーバー制御条件を満足したとき、ソフトハンドオーバー制御対象となる対象セルを含むセル情報を前記基地局制御機構に通信するステップと、
(b) 前記ステップ(a) 後に前記基地局制御機構によって実行され、前記移動機に対しソフトハンドオーバー制御実行の許可を与えるステップと、
(c) 前記移動機によって実行され、前記ステップ(a) 後から前記ステップ(b) 後に至る期間を含む所定の期間において、前記所定のソフトハンドオーバー制御条件を継続して満足していたか否かを監視するステップと、
(d) 前記ソフトハンドオーバー制御実行の許可に応答して前記移動機によって実行され、前記ステップ(c) の監視結果を参照し、前記所定のソフトハンドオーバー制御条件の前記所定の期間おける継続した満足の有／無に基づき、前記ソフトハンドオーバー制御の実行／不実行を判定するステップと、
(e) 前記ステップ(d) で前記ソフトハンドオーバー制御の実行を判定した場合のみ、前記ソフトハンドオーバー制御を実行するステップと、
を備える移動機のソフトハンドオーバー制御方法。
【請求項５】
請求項１ないし請求項４のうち、いずれか１項に記載の移動機のソフトハンドオーバー制御方法であって、
(f) 前記移動機によって実行され、前記ステップ(e) で前記ソフトハンドオーバー制御を実行しなかった場合、前記ソフトハンドオーバー制御の不実行を指示する情報を前記基地局制御機構に通信するステップと、
(g) 前記基地局制御機構によって実行され、前記ステップ(f) で前記ソフトハンドオーバー制御の不実行を指示する情報を得た場合、前記対象セル内の基地局を前記ステップ(b) の前記ソフトハンドオーバー制御実行の許可前の状態に復帰させるステップと、
をさらに備える、
移動機のソフトハンドオーバー制御方法。
【請求項６】
請求項２ないし請求項４のうち、いずれか１項に記載の移動機のソフトハンドオーバー制御方法であって、
前記基地局制御機構は前記通信セル及び前記対象セルそれぞれのセル品質に対応してソフトハンドオーバー制御の実施成功率が記録されたデータベースを有し、前記セル情報は前記通信セル及び前記対象セルそれぞれの前記セル品質を含み、
前記ステップ(b) は、
前記データベースを参照して得られる、前記セル情報内の前記通信セル及び前記対象セルそれぞれの前記セル品質に対応する実施成功率に基づき、前記ソフトハンドオーバー制御実行の許可を選択的に前記移動機に与えるステップを含む、
移動機のソフトハンドオーバー制御方法。
【請求項７】
請求項６記載の移動機のソフトハンドオーバー制御方法であって、
前記ステップ(e) は、さらに、前記ソフトハンドオーバー制御の実行／不実行を示すソフトハンドオーバー制御実行情報を前記基地局制御機構に通信するステップを含み、
前記基地局制御機構は前記ソフトハンドオーバー制御実行情報及び前記セル情報に基づき、前記データベースを更新する機能を有する、
移動機のソフトハンドオーバー制御方法。
【請求項８】
複数の基地局それぞれから電波の届く範囲で規定される複数のセルからなる通信環境において利用される移動機であって、前記通信環境は前記複数の基地局を制御する基地局制御機構をさらに有し、
前記移動機は、ソフトハンドオーバー状態のセル内における前記移動機の通信状態を示すセル品質に基づき、所定のソフトハンドオーバー制御条件を満足するか否かを検出するセル品質管理機能及び所定の記憶部を有し、ソフトハンドオーバー制御を所定のソフトハンドオーバー制御方式に従い実行し、
前記所定のソフトハンドオーバー制御方式は、
(a) 前記品質管理機能によって前記所定のソフトハンドオーバー制御条件を満足したと判断したとき、ソフトハンドオーバー制御対象となる対象セルの前記セル品質を第１の測定値として測定して前記所定の記憶部に保存した後、前記対象セルを指定する情報を含むセル情報を前記基地局制御機構に通信するステップと、
(b) 前記基地局制御機構より、ソフトハンドオーバー制御実行の許可を受けるステップと、
(c) 前記ソフトハンドオーバー制御実行の許可に応答して実行され、前記対象セルの前記セル品質を第２の測定値として測定するステップと、
(d) 前記第１及び第２の測定値の比較結果に基づき、前記ソフトハンドオーバー制御の実行の有無を判定するステップと、
(e) 前記ステップ(d) で前記ソフトハンドオーバー制御を実行すると判定した場合のみ、前記ソフトハンドオーバー制御を実行するステップとを備える、
移動機。
【請求項９】
請求項８記載の移動機であって、
前記ソフトハンドオーバー制御条件は、移動機が現在通信している通信セルを、該通信セル周辺の所定の周辺セルに切り替えるための条件を含み、前記対象セルは前記所定の周辺セルを含み、
前記ソフトハンドオーバー制御は移動機が通信する基地局を前記通信セル内の基地局から前記対象セル内の基地局に切り替える制御を含み、
前記ステップ(d) は、前記第２の測定値が前記第１の測定値より質の向上／劣化に基づき、前記ソフトハンドオーバー制御の実行／不実行を判定するステップを含む、
移動機。
【請求項１０】
請求項８記載の移動機であって、
前記ソフトハンドオーバー制御条件は、移動機が現在通信している複数の通信セルのうち、一の通信セルとの通信を削除するための条件を含み、前記対象セルは前記一の通信セルを含み、
前記ソフトハンドオーバー制御は移動機が通信する前記対象セルの基地局を削除する制御を含み、
前記ステップ(d) は、前記第２の測定値が前記第１の測定値より質の劣化/向上を示す場合、前記ソフトハンドオーバー制御の実行／非実行を判定するステップを含む、
移動機。
【請求項１１】
複数の基地局それぞれから電波の届く範囲で規定される複数のセルからなる通信環境において利用される移動機であって、前記通信環境は前記複数の基地局を制御する基地局制御機構をさらに有し、
前記移動機は、ソフトハンドオーバー状態のセル内における前記移動機の通信状態を示すセル品質に基づき、所定のソフトハンドオーバー制御条件を満足するか否かを検出するセル品質管理機能を有し、ソフトハンドオーバー制御を所定のソフトハンドオーバー制御方式に従い実行し、
前記所定のソフトハンドオーバー制御方式は、
(a) 前記セル品質管理機能によって所定のソフトハンドオーバー制御条件を満足したとき、ソフトハンドオーバー制御対象となる対象セルを含むセル情報を前記基地局制御機構に通信するステップと、
(b) 前記基地局制御機構より、ソフトハンドオーバー制御実行の許可を受けるステップと、
(c) 前記移動機によって実行され、前記ステップ(a) 後から前記ステップ(b) 後に至る期間を含む所定の期間において、前記所定のソフトハンドオーバー制御条件が継続して満足していたか否かを監視するステップと、
(d) 前記ソフトハンドオーバー制御実行の許可に応答して前記移動機によって実行され、前記ステップ(c) の監視結果を参照し、前記所定のソフトハンドオーバー制御条件の前記所定の期間おける継続した満足の有／無に基づき、前記ソフトハンドオーバー制御の実行／非実行を判定するステップと、
(e) 前記ステップ(d) で前記ソフトハンドオーバー制御を実行すると判定した場合のみ、前記ソフトハンドオーバー制御を実行するステップと、
を備える移動機。
【請求項１２】
請求項８ないし請求項１１のうち、いずれか１項に記載の移動機であって、
前記ソフトハンドオーバー制御方式は、
(f) 前記ステップ(e) で前記ソフトハンドオーバー制御を実行しなかった場合、前記ソフトハンドオーバー制御の不実行を指示する情報を前記基地局制御機構に通信するステップをさらに備える、
移動機。
【発明の詳細な説明】
【技術分野】
【０００１】
この発明は、通信方式として主としてCDMA方式を用いた移動機、基地局及び移動通信システムのソフトハンドオーバー制御方法の性能向上に関するものである。
【背景技術】
【０００２】
無線通信方式としてCDMA（Code Division Multiple Access）方式を用いる移動機は、通信するセルを順次切り替えていくことで通信を継続することが可能である．これはハンドオーバーと呼ばれ、たとえばWideband-CDMA方式のハンドオーバーの制御方法は3GPP（3rd Generation Partnership Project）で規定されている。ハンドオーバーの種類として、移動機が現在通信しているセルとの通信を継続させたまま、別の複数のセルと通信を開始するソフトハンドオーバーと、一旦現在の通信を切断し、新たに別のセルと通信を開始するハードハンドオーバーが存在する。Wideband-CDMA方式から別の通信システムへのハンドオーバーはシステム間ハンドオーバーと呼ばれる。
【０００３】
ソフトハンドオーバーは、Wideband-CDMA方式において、移動機がセル間を移動するだけで発生することから、最も頻繁に実施されるハンドオーバーであり、その性能を向上させることで無線通信品質を向上させることができる。ソフトハンドオーバー方法として例えば非特許文献１に開示された方法がある。
【０００４】
非特許文献１に従ったソフトハンドオーバー手順は、移動機が新たなセルに対する通信開始を要求するためのMEASUREMENT-REPORTメッセージを送信してからＮＷ（ネットワーク）より、移動機に上記新たなセルからの通信の開始時間を通知するACTIVE-SET-UPDATEメッセージを受信するまでの間に、セルの無線品質が大きく変動した場合に対応出来ないという問題があった。
【０００５】
上記問題を解決するために、GPS受信機を移動機に設け、移動機と基地局の位置情報、速度、進行方向からハンドオーバー対象となるセルの測定周期や順番などを最適化し、高速なハンドオーバーを実現する方法が例えば特許文献１で提案されている。
【０００６】
特許文献１で提案されている方法は、GPS受信機により基地局の位置情報が利用できることから、急激に劣化するセルの位置を特定し、劣化するようなセルは、MEASUREMENT-REPORTメッセージで送信の開始を要求するセルから除外することが可能である。また、一時的に劣化するセルの位置も特定されるため、MEASUREMENT-REPORTメッセージで送信停止要求をしたことでRAKE合成を解除してしまうこと問題が解決できるという特徴を持っている。
【０００７】
【非特許文献１】"3GPP TS25.331 "Radio Resource Control(RRC)" V5.5.10.0（pp.929-937）
【特許文献１】特開２００１−３５９１４５号公報（第３頁−６頁、図３）
【発明の開示】
【発明が解決しようとする課題】
【０００８】
しかしながら、特許文献１に示す方法は、GPS受信機を移動機が設けていることが前提であり、GPS受信機を持たない移動機には効果が無いという問題点があった。また、GPS受信機を必要とすることから回路構成が複雑となり、更に移動機が位置情報、速度、進行方向を演算する必要があることから、演算量が増加するという別の問題点があった。
【０００９】
この発明は上記問題点を解決するためになされたもので、GPS受信機などの特別な回路が不要で、かつ単純な演算結果のみで、周辺セル環境の急激な変動によっても、最適なセルを選択することが可能な移動機のソフトハンドオーバー制御方法を得ることを目的とする。
【課題を解決するための手段】
【００１０】
この発明に係る請求項１記載の移動機のソフトハンドオーバー制御方法は、複数の基地局それぞれから電波の届く範囲で規定される複数のセルからなる通信環境において実行される、移動機のソフトハンドオーバー制御方法であって、前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能を有し、(a) 前記移動機によって実行され、前記品質管理機能によって前記所定のソフトハンドオーバー制御条件を満足したと判断したとき、ソフトハンドオーバー制御対象となる対象セル内における前記移動機の通信状態を示すセル品質を第１の測定値として測定した後、前記対象セルを指定する情報を含むセル情報を前記基地局制御機構に通信するステップと、(b) 前記ステップ(a) 後に前記基地局制御機構によって実行され、前記移動機に対しソフトハンドオーバー制御実行の許可を与えるステップと、(c) 前記ソフトハンドオーバー制御実行の許可に応答して前記移動機によって実行され、前記対象セルの前記セル品質を第２の測定値として測定するステップと、(d) 前記移動機によって実行され、前記第１及び第２の測定値の比較結果に基づき、前記ソフトハンドオーバー制御の実行の有無を判定するステップと、(e) 前記移動機によって実行され、前記ステップ(d) で前記ソフトハンドオーバー制御を実行すると判定した場合のみ、前記ソフトハンドオーバー制御を実行するステップとを備える。
【００１１】
この発明に係る請求項４記載の移動機のソフトハンドオーバー制御方法は、複数の基地局それぞれから電波の届く範囲で規定される複数のセルからなる通信環境において実行される、移動機のソフトハンドオーバー制御方法であって、前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能を有し、(a) 前記移動機によって実行され、前記セル品質管理機能によって所定のソフトハンドオーバー制御条件を満足したとき、ソフトハンドオーバー制御対象となる対象セルを含むセル情報を前記基地局制御機構に通信するステップと、(b) 前記ステップ(a) 後に前記基地局制御機構によって実行され、前記移動機に対しソフトハンドオーバー制御実行の許可を与えるステップと、(c) 前記移動機によって実行され、前記ステップ(a) 後から前記ステップ(b) 後に至る期間を含む所定の期間において、前記所定のソフトハンドオーバー制御条件を継続して満足していたか否かを監視するステップと、(d) 前記ソフトハンドオーバー制御実行の許可に応答して前記移動機によって実行され、前記ステップ(c) の監視結果を参照し、前記所定のソフトハンドオーバー制御条件の前記所定の期間おける継続した満足の有／無に基づき、前記ソフトハンドオーバー制御の実行／不実行を判定するステップと、(e) 前記ステップ(d) で前記ソフトハンドオーバー制御の実行を判定した場合のみ、前記ソフトハンドオーバー制御を実行するステップとを備える。
【００１２】
この発明に係る請求項８記載の移動機は、複数の基地局それぞれから電波の届く範囲で規定される複数のセルからなる通信環境において利用される移動機であって、前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能及び所定の記憶部を有し、ソフトハンドオーバー制御を所定のソフトハンドオーバー制御方式に従い実行し、前記所定のソフトハンドオーバー制御方式は、(a) 前記品質管理機能によって前記所定のソフトハンドオーバー制御条件を満足したと判断したとき、ソフトハンドオーバー制御対象となる対象セルの前記セル品質を第１の測定値として測定して前記所定の記憶部に保存した後、前記対象セルを指定する情報を含むセル情報を前記基地局制御機構に通信するステップと、(b) 前記基地局制御機構より、ソフトハンドオーバー制御実行の許可を受けるステップと、(c) 前記ソフトハンドオーバー制御実行の許可に応答して実行され、前記対象セルの前記セル品質を第２の測定値として測定するステップと、(d) 前記第１及び第２の測定値の比較結果に基づき、前記ソフトハンドオーバー制御の実行の有無を判定するステップと、(e) 前記ステップ(d) で前記ソフトハンドオーバー制御を実行すると判定した場合のみ、前記ソフトハンドオーバー制御を実行するステップとを備える。
【００１３】
この発明に係る請求項１１記載の移動機は、複数の基地局それぞれから電波の届く範囲で規定される複数のセルからなる通信環境において利用される移動機であって、前記通信環境は前記複数の基地局を制御する基地局制御機構をさらに有し、前記移動機は、ソフトハンドオーバー状態のセル内における前記移動機の通信状態を示すセル品質に基づき、所定のソフトハンドオーバー制御条件を満足するか否かを検出するセル品質管理機能を有し、ソフトハンドオーバー制御を所定のソフトハンドオーバー制御方式に従い実行し、前記所定のソフトハンドオーバー制御方式は、(a) 前記セル品質管理機能によって所定のソフトハンドオーバー制御条件を満足したとき、ソフトハンドオーバー制御対象となる対象セルを含むセル情報を前記基地局制御機構に通信するステップと、(b) 前記基地局制御機構より、ソフトハンドオーバー制御実行の許可を受けるステップと、(c) 前記移動機によって実行され、前記ステップ(a) 後から前記ステップ(b) 後に至る期間を含む所定の期間において、前記所定のソフトハンドオーバー制御条件が継続して満足していたか否かを監視するステップと、(d) 前記ソフトハンドオーバー制御実行の許可に応答して前記移動機によって実行され、前記ステップ(c) の監視結果を参照し、前記所定のソフトハンドオーバー制御条件の前記所定の期間おける継続した満足の有／無に基づき、前記ソフトハンドオーバー制御の実行／非実行を判定するステップと、(e) 前記ステップ(d) で前記ソフトハンドオーバー制御を実行すると判定した場合のみ、前記ソフトハンドオーバー制御を実行するステップとを備える。
【発明の効果】
【００１４】
この発明における請求項１記載の移動機のソフトハンドオーバー制御方法は、ステップ(a) 及び(c) で得られる第１及び第２の測定値の比較結果に基づき決定されるステップ(d) の判定結果に基づき、ステップ(e) における移動機のソフトハンドオーバー制御を実行の有無を決定している。
【００１５】
したがって、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００１６】
加えて、移動機の有する品質管理機能を用いてステップ(c) 及び(d) の処理を追加するだけで容易に実現することができるため、移動機はGPS等の特別な専用回路を必要とすることなく簡単な構成で実現することができる。
【００１７】
この発明における請求項４記載の移動機のソフトハンドオーバー制御方法は、ステップ(c) の監視結果を参照し、所定のソフトハンドオーバー制御条件の所定の期間おける継続した満足の有／無に基づき決定されるステップ(d) の判定結果に基づき、ステップ(e) における移動機のソフトハンドオーバー制御を実行の有無を決定している。
【００１８】
したがって、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００１９】
加えて、移動機の有する品質管理機能を用いてステップ(c) 及び(d) の処理を追加するだけで容易に実現することができるため、移動機はGPS等の特別な専用回路を必要とすることなく簡単な構成で実現することができる。
【００２０】
さらに、請求項４記載の移動機のソフトハンドオーバー制御方法は、ステップ(a) で認識された所定のソフトハンドオーバー条件成立の状態が、その後の所定の期間において維持することを判定材料とすることにより、実現に必要な演算量を必要最小限に抑えることができる効果を奏する。
【００２１】
この発明における請求項８記載の移動機は、ステップ(a) 及び(c) で得られる第１及び第２の測定値の比較結果に基づき決定されるステップ(d) の判定結果に基づき、ステップ(e) における移動機のソフトハンドオーバー制御を実行の有無を決定している。
【００２２】
したがって、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００２３】
加えて、品質管理機能を用いてステップ(c) 及び(d) の処理を追加するだけで容易に実現することができるため、移動機はGPS等の特別な専用回路を必要とすることなく簡単な構成で実現することができる。
【００２４】
この発明における請求項１１記載の移動機は、ステップ(c) の監視結果を参照し、所定のソフトハンドオーバー制御条件の所定の期間おける継続した満足の有／無に基づき決定されるステップ(d) の判定結果に基づき、ステップ(e) における移動機のソフトハンドオーバー制御を実行の有無を決定している。
【００２５】
したがって、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００２６】
加えて、品質管理機能を用いてステップ(c) 及び(d) の処理を追加するだけで容易に実現することができるため、移動機はGPS等の特別な専用回路を必要とすることなく簡単な構成で実現することができる。
【００２７】
さらに、請求項１１記載の移動機は、ステップ(a) で認識された所定のソフトハンドオーバー条件成立の状態が、その後の所定の期間において維持することを判定材料とすることにより、実現に必要な演算量を必要最小限に抑えることができる効果を奏する。
【発明を実施するための最良の形態】
【００２８】
＜発明の原理＞
（全体構成）
図１はＣＤＭＡ移動機の通信環境を模式的に示す説明図である。同図に示すように、基地局１１，１２（複数の基地局）から電波の届く範囲でセルＣ０１及びＣ０２で規定され、（ＣＤＭＡ）移動機３０が通信可能な複数のセル（図中、２つのセルＣ０１，Ｃ０２のみ示す）が一部重複しながら存在する。すなわち、セルＣ０１内において移動機３０は基地局１１と通信することができ、セルＣ０２内において移動機３０は基地局１２と通信することができる通信環境下におかれている。そして、基地局１１，１２はすべて基地局制御機構であるネットワーク１に接続されており、ネットワーク１の制御下に置かれる。
【００２９】
（前提技術（ソフトハンドオーバー手順））
図１５は、3GPPで規定されているソフトハンドオーバー状態例を示す説明図である。同図において、現在、実際に通信対象となっている通信セル（Active Set Cell）をセルＣ０１とし、その周辺に存在し、移動機３０とは実際の通信していないが、今後通信する可能性がある周辺セル（Monitored Set Cell）をセルＣ０２としている。
【００３０】
図１５に示すように、（ＣＤＭＡ）移動機は通信セルＣ０１と周辺セルＣ０２のセル品質をそれぞれ測定している。なお、セル品質とは、セル内における移動機３０の通信状態を示す指標を意味する。
【００３１】
図１５では、セルＣ０１の無線品質（セル品質）、セルＣ０２の無線品質（セル品質）の時間変動を表しており、図１５の横軸は時間を示し、縦軸はセルのセル品質の高低を示す。すなわち、縦軸の上方向が高品質である。
【００３２】
図１５に示すように、移動機３０がセルＣ０１の端部に移動するなどの理由により、時間の経過と共にセルＣ０１のセル品質が劣化し、同時にセルＣ０２のセル品質が向上している。そして、ある地点Ｐ０１におけるセルＣ０１の測定値Ｌ０１から、閾値ＴＨ０１だけ下限に範囲を持たせた測定値Ｌ０２との間にセルＣ０２の測定値が含まれるという条件１｛（Ｃ０１のセル品質）−ＴＨ０１≦（Ｃ０２のセル品質）｝がはじめて満たされたときに、移動機３０はソフトハンドオーバー制御の実施待ちのタイマを動作させる。
【００３３】
このタイマは前記条件１が満たされている（維持されている）ときは動作を継続する。移動機３０は、あらかじめ決められた時間Ｒ０１連続して前記条件が満たされた地点Ｐ０２で、セルＣ０２との通信開始を要求する（セルＣ０２をソフトハンドオーバー制御の対象セルとする）ためにMEASUREMENT-REPORTメッセージをＮＷ１へ送信する。このように、移動機３０は、条件１を時間Ｒ０１継続して満足するというソフトハンドオーバー制御条件を満足するか否かを検出する第１のセル品質管理機能を有している。
【００３４】
MEASUREMENT-REPORTメッセージを受信したＮＷ１は、セルＣ０２から移動機３０に対して無線信号の送信の準備を行い、同時に移動機３０によるソフトハンドオーバー制御を許可するACTIVE-SET-UPDATEメッセージで移動機３０にセルＣ０２からの通信の開始時間を通知する。なお、上記送信の準備とは、セルＣ０２（の基地局１２）から無線信号の送信をするために必要な種々の情報を基地局１２に設定することを意味し、具体的には、セルＣ０２から送信する信号の拡散符号、チャネル構成、送信電力、送信タイミング、送信開始時間などを設定することを意味する。
【００３５】
ACTIVE-SET-UPDATEメッセージを受信した移動機３０は、一般的に通知された開始時間よりセルＣ０２からの無線信号をRAKE合成し、ACTIVE-SET-UPDATE COMPLETEメッセージをＮＷ１へ送信してソフトハンドオーバー制御の実施が完了する。
【００３６】
図１６はソフトハンドオーバーによって通信セル（Active Set Cell）とのRAKE合成を解除する例を示す説明図である。
【００３７】
図１６において、移動機３０はセルＣ０３及びセルＣ０４と通信を行っており、かつ各セルＣ０３，Ｃ０４の無線品質（セル品質）を測定しているものとする。このとき、距離減衰などの理由で時間の経過と共にセルＣ０３のセル品質が劣化している場合において、ある地点Ｐ０３におけるセルＣ０４の測定値Ｌ０４から、閾値ＴＨ０２だけ下限に範囲を持たせた測定値Ｌ０３の範囲外までセルＣ０３の測定値が劣化したという条件２｛（Ｃ０３のセル品質）≦（Ｃ０４のセル品質）−ＴＨ０２｝が満たされたときに、移動機３０はソフトハンドオーバー制御の実施待ちのタイマを動作させる。このタイマは前記条件３が満たされているときは動作を継続する。
【００３８】
移動機３０は、あらかじめ決定した時間Ｒ０２連続して前記条件２が満たされた地点Ｐ０４で、通信セルの一つであるセルＣ０３との通信停止の要求を含むMEASUREMENT-REPORTメッセージをＮＷ１へ送信する。このように、移動機３０は、条件２を時間Ｒ０２継続して満足するというソフトハンドオーバー制御条件を満足するか否かを検出する第２のセル品質管理機能を有している。
【００３９】
MEASUREMENT-REPORTメッセージを受信したＮＷ１は、セルＣ０３から移動機３０に対して無線信号の停止の準備を行い、同時にソフトハンドオーバー制御を許可するACTIVE-SET-UPDATEメッセージで移動機３０にセルＣ０３からの通信の停止時間を通知する。
【００４０】
ACTIVE-SET-UPDATEメッセージを受信した移動機３０は、通知された開始時間よりセルＣ０３からの無線信号のRAKE合成を解除し、ACTIVE-SET-UPDATE COMPLETEメッセージをＮＷ１へ送信してソフトハンドオーバー制御の実施が完了する。
【００４１】
このように、図１５で示したセルＣ０１，Ｃ０２及び図１６で示したセルＣ０３，Ｃ０４のように、移動機３０からセル品質が測定可能なセルを、ソフトハンドオーバー状態のセルとする。なお、図１５，図１６で示した例は、例えば非特許文献１に開示されている。
【００４２】
図１７は、非特許文献１による前提技術となるソフトハンドオーバー制御方法の手順を模式的に示す説明図である。以下、図１７を参照しつつ、その制御手順を説明する。
【００４３】
まず、ステップＳ４１において、通信中の移動機３０は、ソフトハンドオーバー制御条件が成立するかを判定する。判定条件は上述した図１５、図１６を用いて説明した方法に従って行う。そして、ステップＳ４１において、ソフトハンドオーバー制御条件が成立した場合、ステップＳ４２に以降する。
【００４４】
ステップＳ４２において、移動機３０は、ソフトハンドオーバーの成立と、追加・削除対象のセル情報（ソフトハンドオーバー制御の対象セルの情報）をMEASUREMENT-REPORTメッセージに含めてＮＷ１へ送信する。
【００４５】
ステップＳ４３において、MEASUREMENT-REPORTメッセージを受けたＮＷ１は、その情報に基づき、移動機３０によるソフトハンドオーバー制御の実行を許可するACTIVE-SET-UPDATEメッセージを移動機３０に送信する。ACTIVE-SET-UPDATEメッセージには追加・削除対象のセル情報と制御開始時間が含まれている。
【００４６】
メッセージ受信後、制御開始時間となったとき、ステップＳ４４において、移動機３０は通信セルの変更、削除等のソフトハンドオーバー制御を実施し、制御完了後、ステップＳ４５において、ソフトハンドオーバー制御の完了を示すACTIVE-SET-UPDATE-COMPLETEメッセージをＮＷ１へ送信して制御を完了する。
【００４７】
このような図１５〜図１７で示すソフトハンドオーバー制御方式では、背景技術の欄でも述べたように、移動機３０が新たなセルに対する通信開始を要求するためのMEASUREMENT-REPORTメッセージを送信してからＮＷ１より、移動機３０に上記新たなセルからの通信の開始時間を通知するACTIVE-SET-UPDATEメッセージを受信するまでの間に、セルの無線品質（セル品質）が大きく変動した場合に対応出来ないという問題があった。
【００４８】
例えば、MEASUREMENT-REPORTメッセージを送信したときにはセル品質が良好であったセル（図１５のセルＣ０２等）が、高層ビルなどの遮蔽物によって、ACTIVE-SET-UPDATEメッセージを受信してRAKE合成を開始するときのセル品質が急激に劣化したことで、正しくRAKE合成できないという問題点があった。また、逆に高層ビルなどの遮蔽物によって一時的にセル品質が劣化したことで、MEASUREMENT-REPORTメッセージで送信の停止を要求したセル（図１６のセルＣ０３等）のセル品質がACTIVE-SET-UPDATEメッセージを受信するまでに回復し、RAKE合成を解除することで却ってセル品質が劣化してしまうという問題があった。この問題点の解決を、GPS等の特別な回路を用いることなく図ったのが以下で述べる本願発明の実施の形態１〜実施の形態３である。
【００４９】
＜実施の形態１＞
図２はこの発明における実施の形態１〜実施の形態３のＣＤＭＡ移動機のソフトハンドオーバー制御方法に用いられる移動機２０の内部構成を示すブロック図である。なお、移動機２０の通信環境は図１の移動機３０が移動機２０が置き換わる点を除き、図１で示した通信環境と同様である。
【００５０】
同図において、アンテナ２１は無線信号の送受信を行う回路である。送受信部２２はアンテナ２１から受信した信号のパス検出とRAKE合成処理、拡散及び逆拡散処理を行うための回路である。信号処理部２３は、送受信部２２で必要となる制御データの管理と、送受信部２２で受信した信号のセル品質を測定する回路である。
【００５１】
制御部２４は、信号処理部２３から得られるセル品質を内部メモリ２５に格納し、管理するための品質管理部２４ａを有する。この品質管理部２４ａと信号処理部２３とにより、図１５及び図１６で説明した第１及び第２の品質管理機能を実現する。
【００５２】
さらに、制御部２４は、後に詳述するセル品質の比較結果に基づくソフトハンドオーバー実施判定・制御処理を実行するソフトハンドオーバー処理部２４ｂを有する。その他の回路は本発明に関係しないので省略してある。
【００５３】
このような構成の移動機２０は、アンテナ２１では無線信号を受信し、受信した信号を送受信部２２へと送信する。送受信部２２はアンテナ２１より受信した受信信号の各受信パス位置を計算し、受信パス位置に対応したタイミングで拡散信号を乗算し、逆拡散された各受信信号をRAKE合成して復調信号として取り出す。送受信部２２に必要な制御データは信号処理部２３によって通知される。復調信号は信号処理部２３へ送信される。
【００５４】
信号処理部２３は復調信号の無線品質をセル品質として測定し、測定結果を保持する。復調されたデータのうち、無線制御に必要な制御データは制御部２４へ送信される。このとき、音声データなどの制御データ以外の有意なデータは、それぞれ音声回路などの専用回路（図示せず）へと転送される。
【００５５】
制御部２４は、制御データを解析し、制御タイミングに応じて信号処理部２３へ制御内容を通知する。制御部２４内の品質管理部２４ａは、信号処理部２３で測定された測定結果（セル品質）を読み取り、内部メモリ２５へ保存する。保存された測定結果は、品質管理部２４ａより必要に応じて参照・更新される。
【００５６】
ソフトハンドオーバー処理部２４ｂは、品質管理部２４ａが保存した測定結果を用いてソフトハンドオーバー実施判定・制御処理を行い、ソフトハンドオーバー制御の実施を判断した場合、信号処理部２３へソフトハンドオーバーに必要な情報を通知し、ソフトハンドオーバー制御を実施する。
【００５７】
図３は実施の形態１による移動機のソフトハンドオーバーの制御方法の処理手順の主要部を模式的に示す説明図である。以下、同図を参照して、その処理手順を説明する。
【００５８】
まず、ステップＳ１において、通信中の移動機２０は、ソフトハンドオーバー制御条件が成立するかを判定する。判定条件は上述した図１５、図１６を用いて説明した条件１，条件２に基づく方法に従って行う。そして、ステップＳ１において、ソフトハンドオーバー制御条件が成立した場合にはじめてステップＳ２に移行する。
【００５９】
ステップＳ２において、品質管理部２４ａはその時点で測定しているソフトハンドオーバー対象セル（新たに通信セルとなるべき新規の周辺セル（図１５のセルＣ０２等）あるいは削除対象の通信セル（図１６のセルＣ０３等））のセル品質を指示する情報（第１の測定値）を内部メモリ２５に保存する。
【００６０】
なお、ステップＳ２において、内部メモリ２５に保存される周辺セルのセル品質の種別は、ＮＷ１から指定されるものを使用しても良いが、移動機２０がセル毎に独立して測定可能であればＮＷ１の指定によらず何を使用しても良い。セル品質の種別として使用されるものとして、例えばEc/Io（パイロット信号の受信電力Ecと、全受信電力loの比；Ec/Noと記載することもあり）、 RSCP（Received Signa1 Code Power（希望波受信電力））、Pathloss（伝播損失（＝パイロット信号の送信電力ー受信電力））などがある。
【００６１】
ステップＳ３において、移動機２０は、ソフトハンドオーバー制御条件の成立と、追加・削除対象のセル情報を含むMEASUREMENT-REPORTメッセージをＮＷ１へ送信する。
【００６２】
ステップＳ４において、MEASUREMENT-REPORTメッセージを受けたＮＷ１は、その情報に基づき、移動機２０いよるソフトハンドオーバー制御の実施を許可するACTIVE-SET-UPDATEメッセージを移動機２０に送信する。ACTIVE-SET-UPDATEメッセージには追加・削除対象のセル情報と制御開始時間の情報が含まれている。
【００６３】
メッセージ受信後、制御開始時間となったとき、ステップＳ５において、移動機２０は、ソフトハンドオーバーの実施の有無を判定するソフトハンドオーバー実施判定処理及びその後の実行制御を行うソフトハンドオーバー実施判定・制御処理を実行する。
【００６４】
図４は、図３のステップＳ５であるソフトハンドオーバー実施判定・制御処理の詳細を示すフローチャートである。以下、同図を参照して、移動機２０によるソフトハンドオーバー実施判定・制御処理の内容を説明する。
【００６５】
まず、ステップＳ５１で、移動機２０は、図３のステップＳ２で保存していた対象セルのセル品質（第１の測定値；前セル品質）を内部メモリ２５より読み出す。
【００６６】
そして、ステップＳ５２で、移動機２０は、現在の対象セルのセル品質（第２の測定値；現セル品質）を測定する。ステップＳ５２で測定するセル品質の種別は、内部メモリ２５に保存していた品質情報と同種のものとする。すなわち、ステップＳ２で保存したセル品質の品質種別がEc/Ioであれば、ステップＳ５３で測定する品質もEc/Ioとなる。この処理は信号処理部２３及び品質管理部２４ａで行われる。
【００６７】
その後、ステップＳ５３において、ACTIVE-SET-UPDATEメッセージで指定されたソフトハンドオーバー対象のセルについて、ステップＳ５１及びＳ５２で得た前セル品質及び現セル品質とを比較し、いずれの品質が優れている方を判断する。この判断はソフトハンドオーバー処理部２４ｂで行われる。
【００６８】
ステップＳ５３でセル品質を比較する方法として、単純に両者のセル品質の瞬時値を比較し、より良い品質値を持つ方を良好と判断する方法がある。また、ステップＳ５１, Ｓ５２において、瞬時値ではなく、ある一定時間測定した結果の平均値を比較に用いても良い。更に、一方のセル品質にオフセット値を加えてもよい。
【００６９】
オフセット値を加えるのは、移動機２０がソフトハンドオーバー制御の実施の有無を判定する際、判定の正確さを高めるためにソフトハンドオーバー制御の実施をし易くする、あるいは逆に実施しにくくするといった調整に使用するためである。例えば、現セル品質に正のオフセットを加えれば、ソフトハンドオーバーが実施し易くなり、前セル品質に正のオフセットを加えれば、ソフトハンドオーバーが実施しにくくなる調整を行うことができる。
【００７０】
ステップＳ５３において、ステップＳ５１で得た前セル品質とステップＳ５２で得た現セル品質のうち、どちらの品質が優れているかを決定した後、ACTIVE-SET-UPDATEメッセージの内容によって、ＮＷ１からのACTIVE-SET-UPDATEメッセージによる指示に従うかどうか、すなわち、現時点におけるソフトハンドオーバー制御の実施は適切か否かを判断する。この判断はソフトハンドオーバー処理部２４ｂで行われる。以下にステップＳ５３における判断内容をケース１〜ケース４に分けて具体的に説明する。
【００７１】
（ケース１）
ACTIVE-SET-UPDATEメッセージの指示内容が、新規（周辺）セルの追加・RAKE合成開始の場合であって、かつ指定された対象セル（新規セル）に関し、前セル品質よりも現セル品質の方が良好であった場合、実施は適切であると判断し（Yes）、ステップＳ５４の実施（ソフトハンドオーバー制御）処理を行う。すなわち、移動機２０が通信する基地局を通信セル内の基地局から対象セル内の基地局に切り替える制御を行う。
【００７２】
（ケース２）
ACTIVE-SET-UPDATEメッセージの指示内容が、新規セルの追加・RAKE合成開始の場合であって、かつ指定された対象セル（新規セル）に関し、前セル品質よりも現セル品質の方が劣化していた場合、実施不適切であると判断し（No）、ステップＳ５５の不実施（ソフトハンドオーバー制御を行わない）処理を行う。
【００７３】
（ケース３）
一方、ACTIVE-SET-UPDATEメッセージの指示内容が、通信セルの削除・RAKE合成解除の場合であって、かつ指定された対象セル（通信セル）に関し、前セル品質よりも現セル品質の方が良好であった場合、実施不適切であると判断し（No）、ステップＳ５５の不実施処理を行う。
【００７４】
（ケース４）
ACTIVE-SET-UPDATEメッセージの指示内容が、通信セルの削除・RAKE合成解除の場合であって、かつ指定された対象セル（通信セル）のセル品質が、前セル品質よりも現セル品質の方が劣化していた場合、実施は適切であると判断し（Yes）、ステップＳ５４の実施処理を行う。すなわち、移動機２０が通信する対象セルの基地局を解除する制御を行う。
【００７５】
図５は図４で示したステップＳ５４の実施処理前後の内容を模式的に示す説明図である。同図に示すように、ソフトハンドオーバー実施判定処理Ｓ５１〜Ｓ５３実行後、ステップＳ５３が実施は適切であると判断した場合（Yes）、ステップＳ５４によって、ＮＷ１の指示に従ってソフトハンドオーバー制御が実施される。
【００７６】
ステップＳ５４において、移動機２０は、ＮＷ１より指定されたセルの追加・RAKE合成開始、または削除・RAKE合成解除を実施し、ソフトハンドオーバー制御を実施する。
【００７７】
その後、ステップ５６において、ソフトハンドオーバー制御を実施したことを指示するACTIVE-SET-UPDATE-COMPLETEメッセージをＮＷ１へ送信し、ソフトハンドオーバー制御の成功をＮＷ１へ通知し、制御を終了する。
【００７８】
図６は図４で示したステップＳ５５の不実施処理前後の内容を模式的に示す説明図である。同図に示すように、ソフトハンドオーバー実施判定処理Ｓ５１〜Ｓ５３実行後、ステップＳ５３が実施不適切であると判断した場合（No）、ステップＳ５５によって、ＮＷ１の指示に従ったソフトハンドオーバー制御は行わない。したがって、移動機２０は、ステップＳ５５では、特に制御は行わず、そのままの状態で通信を継続させる。
【００７９】
その後、ステップＳ５７で、ソフトハンドオーバー制御を実施しなかったことを指示するACTIVE-SET-UPDATE-FAILUREメッセージをＮＷ１へ送信し、ソフトハンドオーバー制御が失敗したことをＮＷ１へ通知する。したがって、ＮＷ１側において、MEASUREMENT-REPORTメッセージに基づきソフトハンドオーバー制御を許可したことが失敗であったことを認識させることができる。
【００８０】
ステップＳ５７でACTIVE-SET-UPDATE-FAILUREメッセージを受信したＮＷ１は、ステップＳ５８において、不実施となったソフトハンドオーバー制御に関する対象セルの無線信号の送信制御を停止し、即座にソフトハンドオーバー制御前の通信セル状態へと復帰させる復帰処理を行った後、制御を終了する。ＮＷ１が復帰処理を即座に実施することによって、ソフトハンドオーバー制御の失敗が通知されても、通信品質の劣化時間を最短に押さえつつ通信を維持することが可能となる。
【００８１】
このように、実施の形態１の制御方法は、移動機２０がMEASUREMENT-REPORTメッセージを送信した時点と、ACTIVE-SET-UPDATEメッセージを受信した時点とで、対象セル（新規（周辺）セルあるいは通信セル）の環境が大きく異なり、ACTIVE-SET-UPDATEメッセージに従ったソフトハンドオーバー制御を行うことで、逆に通信品質が劣化してしまうことを確実に回避することができる効果を奏する。
【００８２】
すなわち、実施の形態１の移動機のソフトハンドオーバー制御方法は、ステップＳ５のソフトハンドオーバー実施判定・制御処理におけるステップＳ５３の判定結果に基づき、移動機２０のソフトハンドオーバー制御の実施の有無（ステップＳ５４あるいはＳ５５）を決定している。その結果、移動機２０は、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００８３】
具体的には、新規セルの追加・RAKE合成開始の場合（対象セルが新規セル）であれば、上記したケース１及びケース２に示したように、第１及び第２の測定結果に基づき対象セルの品質の向上の有無を判断材料とすることにより、対象セル（新規セル）の追加・RAKE合成開始についてのソフトハンドオーバー制御の実施の有無を適切に判断することができる。
【００８４】
同様にして、通信セルの削除・RAKE合成解除の場合（対象セルが通信セル）であれば、上記したケース３及びケース４に示したように、対象セルの品質の劣化の有無を判断材料とすることにより、対象セル（通信セル）の削除・RAKE合成解除についてのソフトハンドオーバー制御の実施の有無を適切に判断することができる。
【００８５】
また、実施の形態１の制御方法は、移動機２０がＮＷ１からのACTIVE-SET-UPDATEメッセージに応答してソフトハンドオーバー制御を行う前に、もう一度、セル品質を確認する機能（移動機２０の制御部２４内に品質管理部２４ａ，ソフトハンドオーバー処理部２４ｂ）を追加して、ステップＳ２及びステップＳ５の処理を実行するだけで容易に実現することができ、GPS等の特別な専用回路やシステムの変更などを必要としない効果を奏する。
【００８６】
＜実施の形態２＞
図７は実施の形態２による移動機のソフトハンドオーバー制御方法の処理手順の主要部を模式的に示す説明図である。以下、同図を参照して、その処理手順を説明する。
【００８７】
まず、ステップＳ１１において、通信中の移動機２０は、ソフトハンドオーバー制御条件が成立するかを判定する。判定条件は上述した図１５、図１６を用いて説明した条件１，条件２に基づく方法に従って行う。そして、ステップＳ１１において、ソフトハンドオーバー制御条件が成立した場合にはじめてステップＳ１２に移行する。
【００８８】
ステップＳ１２において、移動機２０は、ソフトハンドオーバー制御条件の成立と、追加・削除対象のセル情報（対象セルの情報）をMEASUREMENT-REPORTメッセージに含めてＮＷ１へ送信する。
【００８９】
ステップＳ１２直後のステップＳ１３において、ステップＳ１１におけるソフトハンドオーバー制御条件に用いたセルのセル品質を引き続き監視する。ソフトハンドオーバー制御条件用のセル品質の監視処理は品質管理部２４ａにて実施され、その結果は内部メモリ２５に保存される。本処理は、ステップＳ１４でＮＷ１よりACTIVE-SET-UPDATEメッセージを受信を確認するまで継続される。
【００９０】
しかる後、ステップＳ１４において、ステップＳ１２でMEASUREMENT-REPORTメッセージを受けたＮＷ１は、その情報に基づき、移動機２０によるソフトハンドオーバー制御を許可するACTIVE-SET-UPDATEメッセージを移動機２０に送信する。
【００９１】
ステップＳ１４直後のステップＳ１５において、移動機２０はソフトハンドオーバー制御条件用のセル品質の監視を終了する。
【００９２】
ACTIVE-SET-UPDATEメッセージ受信後、制御開始時間となったステップＳ１６において、ソフトハンドオーバーの実施の有無を判定するソフトハンドオーバー実施判定処理及びその後の実行制御を行うソフトハンドオーバー実施判定・制御処理を実行する。
【００９３】
図８は、図７のステップＳ１６であるソフトハンドオーバー実施判定・制御処理の詳細を示すフローチャートである。以下、同図を参照して、実施の形態２のソフトハンドオーバー実施判定・制御処理の内容を説明する。
【００９４】
ステップＳ６１において、移動機２０は、ソフトハンドオーバー制御の実施の有無を判定するために、図７のステップＳ１３の開始からステップＳ１５の終了にかける期間（所定の期間）においてソフトハンドオーバー制御条件用のセル品質に関する監視結果を内部メモリ２５より読み出す。
【００９５】
その後、ステップＳ６２にて、監視していたソフトハンドオーバー制御条件用のセル品質が、ステップＳ１１でYesとされるソフトハンドオーバー制御条件を常に満たしていたか否かを確認する。本確認処理は、ソフトハンドオーバー処理部２４ｂで行われる。上記所定の期間においてソフトハンドオーバー制御条件を満足していた場合（Yes）、ステップＳ６３の実施処理に移行し、満足していない区間が一部でも存在した場合（No）、ステップＳ６４の不実施処理に移行する。
【００９６】
なお、ステップＳ６３の実施処理は、図５で示した実施の形態１のステップＳ５４と同内容で実行され、その後にステップＳ５６に相当する処理も実行される。同様にして、ステップＳ５４の不実施よりは、図６で示した実施の形態１のステップＳ５５と同内容で実行され、その後に、ステップＳ５７，Ｓ５８に相当する処理も実行される。
【００９７】
このように、実施の形態２の制御方法によって、ソフトハンドオーバー制御条件用のセル品質を関しすることにより、ソフトハンドオーバー制御条件がステップＳ１１の以降も維持されているか否かによって、ソフトハンドオーバー制御の実施の有無を判断している。すなわち、実施の形態２による移動機２０は、通信環境の急激な変動によって、一瞬だけ良好な品質となるセルや、品質の劣化後に再上昇するようなセルはソフトハンドオーバー制御条件を引き続き満足することはないため、実施の形態１と同様に、ACTIVE-SET-UPDATEメッセージに従ったソフトハンドオーバー制御を行うことで、逆に通信品質が劣化してしまうことを確実に回避することができる効果を奏する。
【００９８】
すなわち、実施の形態２の移動機のソフトハンドオーバー制御方法は、ステップＳ１６のソフトハンドオーバー実施判定・制御処理におけるステップＳ６２の判定結果に基づき、移動機のソフトハンドオーバー制御の実施の有無（ステップＳ６３あるいはＳ６４）を決定している。その結果、対象セルに対するソフトハンドオーバー制御を行うことが適した状況時のみ実際にソフトハンドオーバー制御を実行することができるため、対象セルを含む周辺セル環境の急激な変動によっても、最適なセルを選択することができる効果を奏する。
【００９９】
さらに、実施の形態２の制御方法は、ステップＳ１１のソフトハンドオーバー制御条件と同一条件が、引き続きステップＳ１５まで維持するか否かを判定材料とすることにより、実施の形態１の制御方法よりも処理内容の簡略化を図ることができるため、実現に必要な演算量を必要最小限に抑えて、実施の形態１以上に減少させることができる効果を奏する。
【０１００】
＜実施の形態３＞
（原理）
図９は実施の形態３の移動機のソフトハンドオーバー制御方法が実施される通信環境を模式的に示す説明図である。同図に示すように、ＮＷ１はデータベース５を有している点を特徴としている。他は移動機３０が移動機２０に置き換わった点を除き、図１で示した通信環境と同様であるため説明は省略する。
【０１０１】
実施の形態３の原理は、移動機２０から送信されたMEASUREMENT-REPORTメッセージに対応してＮＷ１より発せられるACTIVE-SET-UPDATEメッセージが、実施の形態１あるいは実施の形態２のソフトハンドオーバー実施判定・制御処理によって、実際に移動機２０で適切だと判定されたか否かをＮＷ１側で集計し、その集計結果をデータベース５として格納することができる。すなわち、データベース５に格納された本集計結果によってACTIVE-SET-UPDATEメッセージの送信の有無を判断する機能をＮＷ１側に追加したものである。データベース５として集計される情報は、MEASUREMENT-REPORTメッセージに含まれるセル、及びそのときの各セル品質、ACTIVE-SET-UPDATEメッセージの成功率（ACTIVE-SET-UPDATEメッセージに応答して実際に移動機２０がどの程度の割合でソフトハンドオーバー制御を実行したかを示す割合）とする。
【０１０２】
（データベース集計内容）
図１０はＮＷ１に接続されるデータベース５として集計された情報内容を表形式で示す説明図である。なお、図１０はデータベース５の一部を示したにすぎない。以下、データベース５の集計内容について説明する。
【０１０３】
同図において、例えば、通信セル（Active Set Cell）がセルＣ０１、セル品質が品質ａ２のとき、ソフトハンドオーバー制御の対象セル（新規セル）がセルＣ０２、セル品質が品質ｂ２のとき、図１０で示すデータベースからACTIVE-SET-UPDATEメッセージによる成功率が成功率ｃ３であると検索できる。
【０１０４】
したがって、成功率ｃ３が比較的低い場合、セルＣ０１のセル品質が一時的に劣化、またはセルＣ０２のセル品質が一時的に上昇したことでMEASUREMENT-REPORTメッセージが送信されたと判断することができる。一方、成功率ｃ３が比較的高い場合は、通常のソフトハンドオーバー制御を必要とした環境と判断することができる。なお、成功率の高低の判断基準は特に規定しない。
【０１０５】
（制御方法）
図１１は実施の形態３による移動機のソフトハンドオーバーの制御方法の処理手順の主要部を模式的に示す説明図である。
【０１０６】
同図に示すように、ステップＳ３でMEASUREMENT-REPORTメッセージを受けたＮＷ１は、ステップＳ３０において、ACTIVE-SET-UPDATEメッセージの出力処理の有無を含むデータベース判定処理を実行する。そして、ステップＳ３０によって、移動機２０によるソフトハンドオーバー制御を許可するACTIVE-SET-UPDATEメッセージが出力された場合のみ、移動機２０においてステップＳ６においてソフトハンドオーバー実施判定・制御処理が実行される。すなわち、ＮＷ１は実施の形態１及び実施の形態２のようにACTIVE-SET-UPDATEメッセージを常に出力するのでなく、ステップＳ３０によってACTIVE-SET-UPDATEメッセージを選択的に出力する。なお、他の処理は図３で示した実施の形態１の処理と同内容であるため、説明を省略する。
【０１０７】
図１２は図１１で示したステップＳ３０のデータベース判定処理の処理内容を示すフローチャートである。以下、同図を参照して、その処理内容を説明する。
【０１０８】
ステップＳ３１において、ＮＷ１はデータベース５を参照して、通信セル及び対象セルのセル品質に基づく成功率を呼び出す。
【０１０９】
そして、ステップＳ３２において、ステップＳ３１で読み出した成功率に基づき、ACTIVE-SET-UPDATEメッセージの出力の是非を判断し、出力を是と判断した場合はステップＳ３３に移行し、出力しないと判断した場合はステップＳ３４に移行する。
【０１１０】
例えば、通信セルがセルＣ０１、対象セルがセルＣ０２の場合にデータベースより抽出される成功率ｃ３が低い場合（図１０参照）、セル品質が一時的に劣化、または上昇したことでMEASUREMENT-REPORTメッセージが送信されたと判断し、ＮＷ１はACTIVE-SET-UPDATEメッセージを出力しないと判定する。逆に成功率ｃ３が高い場合は、通常のソフトハンドオーバー環境と判断し、移動機２０へACTIVE-SET-UPDATEメッセージを出力すると判定する。
【０１１１】
なお、ステップＳ３２の判断基準は例えば成功率が所定の基準値より高いか低いかで行うが、特に限定されることはない。また、データベース更新する必要性から、成功率が比較的低い場合であっても、ＮＷ１はある程度の頻度でACTIVE-SET-UPDATEメッセージを送信（出力）することも判断基準に含められる。成功率とACTIVE-SET-UPDATEメッセージの送信割合の関係については、完全にランダム（極端な場合、成功率に関係なくACTIVE-SET-UPDATEメッセージを常に出力する）でも良いし、あるいは何らかの条件式を用いても良い。
【０１１２】
ステップＳ３２で出力と判断した際に実行されるステップＳ３３において、ACTIVE-SET-UPDATEメッセージを出力し、以降、図１１に戻って移動機２０によるステップＳ６のソフトハンドオーバー実施判定・制御処理を実行する。
【０１１３】
ステップＳ３２で非出力判断した際に実行されるステップＳ３４において、ACTIVE-SET-UPDATEメッセージを出力せず、以降、図１１に戻って移動機２０によるのステップＳ６のソフトハンドオーバー実施判定・制御処理を実行することなく処理を終了する。
【０１１４】
図１３は図１１で示したステップＳ６のソフトハンドオーバー実施判定・制御処理内容を模式的に示す説明図である。同図に示すように、図４で示した実施の形態１のソフトハンドオーバー実施判定処理Ｓ５１〜Ｓ５３と同内容の処理を実行後、ステップＳ５３が実施は適切であると判断した場合（Yes）、ステップＳ５４によって、ＮＷ１の指示に従ってソフトハンドオーバー制御が実施される。
【０１１５】
ステップＳ５４において、移動機２０は、ＮＷ１より指定されたセルの追加・RAKE合成開始、または削除・RAKE合成解除を実施し、ソフトハンドオーバー制御を実施する。
【０１１６】
その後、ステップ５６において、ACTIVE-SET-UPDATE-COMPLETEメッセージをＮＷ１へ送信し、ソフトハンドオーバー制御の成功をＮＷ１へ通知する。
【０１１７】
さらに、ステップＳ２１において、ＮＷ１は内部のデータベース更新処理を実行した後、制御を終了する。すなわち、図１０で示したデータベースにおいて、ステップＳ３のMEASUREMENT-REPORTメッセージより得た通信セル及び対象セルのセル品質に対応する成功率を更新する。この場合、成功率がより高い値に更新されることになる。
【０１１８】
図１４は図１１で示したステップＳ６のソフトハンドオーバー実施判定・制御処理内容を模式的に示す説明図である。同図に示すように、図４で示した実施の形態１のソフトハンドオーバー実施判定処理Ｓ５１〜Ｓ５３と同内容の処理を実行後、ステップＳ５３が実施不適切であると判断した場合（No）、ステップＳ５５によって、ＮＷ１の指示に従ったソフトハンドオーバー制御は行わない。したがって、移動機２０は、ステップＳ５５では、特に制御は行わず、そのまま通信を継続させる。
【０１１９】
その後、ステップＳ５７で、ACTIVE-SET-UPDATE-FAILUREメッセージをＮＷ１へ送信し、ソフトハンドオーバー制御が失敗したことをＮＷ１へ通知する。
【０１２０】
ステップＳ５７でACTIVE-SET-UPDATE-FAILUREメッセージを受信したＮＷ１は、ステップＳ５８において、ソフトハンドオーバー制御に関する対象セルの無線信号の送信制御を停止し、即座にソフトハンドオーバー制御前の通信セル状態へと復帰させる復帰処理を行う。ＮＷ１が復帰処理を即座に実施することによって、ソフトハンドオーバー制御の失敗が通知されても、通信品質の劣化時間を最短に押さえつつ通信を維持することが可能となる。
【０１２１】
さらに、ステップＳ２２において、ＮＷ１は内部のデータベース更新処理を実行した後、制御を終了する。すなわち、図１０で示したデータベースにおいて、ステップＳ３のMEASUREMENT-REPORTメッセージより得た通信セル及び対象セルのセル品質に対応する成功率を更新する。この場合、成功率がより低い値に更新されることになる。
【０１２２】
このように、ソフトハンドオーバー制御の実施及び不実施の事実がＮＷ１に伝えられ、その後のステップＳ２１及びＳ２２のデータベース更新処理に用いられることにより、ＮＷ１はデータベース５の内容を常に最新状態で維持することができる。
【０１２３】
なお、図１０は、通信セル（Active Set Cell）が１つの状態でのデータベースの例であるが、通信セルが複数存在しているときは、複数セル時における結果をデータベースとして別途集計し、異なるデータベースとして格納・参照すれば良い。
【０１２４】
このように、実施の形態３の制御方法によって、移動機２０がMEASUREMENT-REPORTメッセージ出力後にソフトハンドオーバー制御の実施の是非を毎回判断するだけでなく、ＮＷ１においても、ＮＷ１から参照可能なデータベース５として集計している統計結果を用いてACTIVE-SET-UPDATEメッセージの出力の有無を判断することになるため、不要なソフトハンドオーバー制御の実施が実施の形態１及び実施の形態２以上に減少し、より適切にソフトハンドオーバー制御を実施することが可能となり、通信品質が向上する効果を奏する。また、移動機２０，ＮＷ１間の不必要な送受信メッセージが削減されるため、無線リソースを有効活用することが可能となる効果も奏する。
【０１２５】
なお、図１１〜図１４は実施の形態１の制御方法を基本に実施の形態３の制御方法を示したが、図７のステップＳ１４の処理に置き換えて、図１１のステップＳ３０のデータベース判定処理を設ける等により、実施の形態２のソフトハンドオーバー制御方法を基本にした実施の形態３の制御方法を実現することも勿論可能である。
【図面の簡単な説明】
【０１２６】
【図１】ＣＤＭＡ移動機の稼働環境を模式的に示す説明図である。
【図２】この発明におけるＣＤＭＡ移動機のソフトハンドオーバー制御方法に用いられる移動機の内部構成を示すブロック図である。
【図３】実施の形態１によるソフトハンドオーバーの制御方法の処理手順の主要部を模式的に示す説明図である。
【図４】図３で示したソフトハンドオーバー実施判定・制御処理の詳細を示すフローチャートである。
【図５】図４で示した実施処理前後の内容を模式的に示す説明図である。
【図６】図４で示した不実施処理前後の内容を模式的に示す説明図である。
【図７】実施の形態２によるソフトハンドオーバーの制御方法の処理手順の主要部を模式的に示す説明図である。
【図８】図７で示したソフトハンドオーバー実施判定・制御処理の詳細を示すフローチャートである。
【図９】実施の形態３の移動機のソフトハンドオーバー制御方法が実施される通信環境を模式的に示す説明図である。
【図１０】実施の形態３で用いられるデータベース内容を表形式で示す説明図である。
【図１１】実施の形態３によるソフトハンドオーバーの制御方法の処理手順の主要部を模式的に示す説明図である。
【図１２】図１１で示したデータベース判定処理内容を示すフローチャートである。
【図１３】図１１で示したソフトハンドオーバー実施判定・制御処理内容（実施の場合）を模式的に示す説明図である。
【図１４】図１１で示したソフトハンドオーバー実施判定・制御処理内容（不実施の場合）を模式的に示す説明図である。
【図１５】3GPPで規定されているソフトハンドオーバー例を示す説明図である。
【図１６】ソフトハンドオーバーによって通信セルとのRAKE合成を解除する例を示す説明図である。
【図１７】前提技術となるソフトハンドオーバーの制御の手順を模式的に示す説明図である。
【符号の説明】
【０１２７】
１  ネットワーク（ＮＷ）、５  データベース、１１，１２  基地局、２０  移動機、Ｃ０１〜Ｃ０４  セル、２４  制御部、２４ａ  品質管理部、２４ｂ  ソフトハンドオーバー処理部、２５  内部メモリ。
【図１】
2007306115.tif 000003
【図２】
2007306115.tif 000004
【図３】
2007306115.tif 000005
【図４】
2007306115.tif 000006
【図５】
2007306115.tif 000007
【図６】
2007306115.tif 000008
【図７】
2007306115.tif 000009
【図８】
2007306115.tif 000010
【図９】
2007306115.tif 000011
【図１０】
2007306115.tif 000012
【図１１】
2007306115.tif 000013
【図１２】
2007306115.tif 000014
【図１３】
2007306115.tif 000015
【図１４】
2007306115.tif 000016
【図１５】
2007306115.tif 000017
【図１６】
2007306115.tif 000018
【図１７】
2007306115.tif 000019